(57)【特許請求の範囲】
【請求項１】
１軸型の入力装置と２軸型の入力装置とを備え、電子機器に種々の指示を送出するコントローラにおいて、両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、両方の入力装置が同一の基板上に実装されることを特徴とするコントローラ。
【請求項２】
請求項１記載のコントローラにおいて、２軸型の入力装置は、基板上に固定されるケースと、ケース内に前記２軸に対応したＸ、Ｙ方向に回動自在に支持され、Ｙ、Ｘ方向に延びる長孔を有する上下一組の回動部材と、上下一組の回動部材の各長孔を貫通し、周囲の任意方向に操作されることにより各回動部材を回動させる操作部材と、操作部材を中立位置に弾性的に保持する保持機構と、各回動部材の回動角度に対応する信号を出力する前記可変抵抗器が含まれた１組の信号出力手段を備えたジョイスティック型の多方向入力装置であることを特徴とするコントローラ。
【請求項３】
１軸型の入力装置と２軸型の入力装置とを備え、電子機器に種々の指示を送出するコントローラにおいて、両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、前記１軸型の入力装置が前記基板の一面に実装され、 前記２軸型の入力装置が当該基板の他面に実装されることを特徴とするコントローラ。
【請求項４】
請求項３記載のコントローラにおいて、１軸型の入力装置は、回動式のキートップを支持し、且つ、該キートップを基板に固定するために該基板に取付けられるホルダーの内部に、前記スライダーが設られたトリガ型入力装置であることを特徴とするコントローラ。
【請求項５】
請求項４記載のコントローラにおいて、前記スライダーは、前記キートップの操作方向後方に配置されると共に、前記ホルダーに内蔵されたスプリングにより前方に付勢され、且つ、その前方に配置された前記キートップを押し上げるように、前部をキートップに弾性的に当接させる構成であることを特徴とするコントローラ。
【請求項６】
請求項３、４又は５記載のコントローラにおいて、２軸型の入力装置は、基板上に固定されるケースと、ケース内に前記２軸に対応したＸ、Ｙ方向に回動自在に支持され、Ｙ、Ｘ方向に延びる長孔を有する上下一組の回動部材と、上下一組の回動部材の各長孔を貫通し、周囲の任意方向に操作されることにより各回動部材を回動させる操作部材と、操作部材を中立位置に弾性的に保持する保持機構と、各回動部材の回動角度に対応する信号を出力する前記可変抵抗器が含まれた１組の信号出力手段を備えたジョイスティック型の多方向入力装置であることを特徴とするコントローラ。
【請求項７】
請求項６記載のコントローラにおいて、ジョイスティック型の多方向入力装置は、一組の信号出力手段として、上下一組の回動部材の各一端部にギヤ部を設けると共に、各ギヤ部の下方に位置してケースの２側面に各側面及び基板に沿って移動し得る前記スライダーが設けられ、当該スライダーの上面に前記ギヤ部に噛み合う歯部が設けられ、当該スライダーの下面に前記接触子が設けられた構成であることを特徴とするコントローラ。
【請求項８】
１軸型の入力装置と２軸型の入力装置とを備え、電子機器に種々の指示を送出するコントローラにおいて、両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、
１軸型の入力装置は、回動式のキートップを支持し、且つ、該キートップを基板に固定するために該基板に取付けられるホルダーの内部に、前記スライダーが設けられたトリガ型入力装置であることを特徴とするコントローラ。
【請求項９】
請求項８記載のコントローラにおいて、両方の入力装置が同一の基板上に実装されることを特徴とするコントローラ。
【請求項１０】
請求項８又は９に記載のコントローラにおいて、前記スライダーは、前記キートップの操作方向後方に配置されると共に、前記ホルダーに内蔵されたスプリングにより前方に付勢され、且つ、その前方に配置された前記キートップを押し上げるように、前部をキートップに弾性的に当接させる構成であることを特徴とするコントローラ。
【請求項１１】
請求項８、９又は１０に記載のコントローラにおいて、２軸型の入力装置は、基板上に固定されるケースと、ケース内に前記２軸に対応したＸ、Ｙ方向に回動自在に支持され、Ｙ、Ｘ方向に延びる長孔を有する上下一組の回動部材と、上下一組の回動部材の各長孔を貫通し、周囲の任意方向に操作されることにより各回動部材を回動させる操作部材と、操作部材を中立位置に弾性的に保持する保持機構と、各回動部材の回動角度に対応する信号を出力する前記可変抵抗器が含まれた１組の信号出力手段を備えたジョイスティック型の多方向入力装置であることを特徴とするコントローラ。
【請求項１２】
請求項１１記載のコントローラにおいて、ジョイスティック型の多方向入力装置は、一組の信号出力手段として、上下一組の回動部材の各一端部にギヤ部を設けると共に、各ギヤ部の下方に位置してケースの２側面に各側面及び基板に沿って移動し得る前記スライダーが設けられ、当該スライダーの上面に前記ギヤ部に噛み合う歯部が設けられ、当該スライダーの下面に前記接触子が設けられた構成であることを特徴とするコントローラ。
【請求項１３】
１軸型の入力装置と２軸型の入力装置とを備え、電子機器に種々の指示を送出するコントローラにおいて、
両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、
２軸型の入力装置は、基板上に固定されるケースと、ケース内に前記２軸に対応したＸ、Ｙ方向に回動自在に支持され、Ｙ、Ｘ方向に延びる長孔を有する上下一組の回動部材と、上下一組の回動部材の各長孔を貫通し、周囲の任意方向に操作されることにより各回動部材を回動させる操作部材と、操作部材を中立位置に弾性的に保持する保持機構と、各回動部材の回動角度に対応する信号を出力する前記可変抵抗器が含まれた１組の信号出力手段とを備え、
前記一組の信号出力手段として、上下一組の回動部材の各一端部にギヤ部を設けると共に、各ギヤ部の下方に位置してケースの２側面に各側面及び基板に沿って移動し得る前記スライダーが設けられ、当該スライダーの上面に前記ギヤ部に噛み合う歯部が設けられ、当該スライダーの下面に前記接触子が設けられた構成であることを特徴とするコントローラ。
【請求項１４】
請求項１３記載のコントローラにおいて、両方の入力装置が同一の基板上に実装されることを特徴とするコントローラ。
【発明の詳細な説明】
【０００１】
【発明の属する技術分野】
本発明は、例えば家庭用テレビゲーム機、コンピュータゲーム機等の各種電子機器に種々の指示を送出するコントローラに関する。
【０００２】
【従来の技術】
家庭用テレビゲーム機のコントローラとして、両手の親指と人指し指を使って操作を行うものが、例えば特開平９−２４４８０３号公報等により提示され、既に市販もされている。この種のコントローラでは、通常、当該コントローラを両手で握り、左手の親指で、当該コントローラの表面左側に設けられた２軸型の入力装置を操作し、左手の人指し指で、当該コントローラの裏面左側に設けられた１軸型の入力装置を操作する。また、右手の親指では、当該コントローラの表面右側に設けられた複数のブッシュスイッチを選択操作し、右手の人指し指では、当該コントローラの裏面右側に設けられた１軸型の入力装置を操作する。
【０００３】
コントローラの表面左側に設けられる２軸型の入力装置としては、例えばジョイスティックと呼ばれる多方向入力装置が使用される。また、コントローラの裏面両側に設けられる１軸型の入力装置としては、例えば人指し指による操作が容易で、且つ操作量に応じた連続的な信号を入力できる点から、引き金形式の回動式キートップをもつ所謂トリガ型入力装置が使用される。
【０００４】
ジョイスティック型多方向入力装置やトリガ型入力装置では、操作量に応じた連続的な信号を入力するため、操作軸の回転角度に対応する信号を出力する信号出力手段が装備されており、この信号出力手段としては、ボリュームに代表される電気的センサや磁気的センサ、光学的センサなどがあり、主にコストの点からボリュームが比較的多く使用されている。
【０００５】
【発明が解決しようとする課題】
ところで、家庭用テレビゲーム機のコントローラでは、上述した通り、ジョイスティック型多方向入力装置はコントローラの表面側に設けられ、トリガ型入力装置はコントローラの裏面側に設けられる。このため、コントローラを小型化したり、その部品点数を低減するには、両方の入力装置をコントローラ内のメイン基板の両方の表面に実装する所謂両面実装が有利となる。
【０００６】
しかしながら、両方の入力装置に使用されるボリュームユニットは、従来は入力装置本体から別部品として独立した別体構造になっているため、コントローラ内のメイン基板に実装する場合は、一般のボリュームユニットと同様に基板にスルーホールが必要となるなどの理由により、両面実装が困難であった。
【０００７】
このため、コントローラの小型化が困難であり、デバイス配置の自由度も制限されていた。また、サブ基板等が使用されることから、部品点数も多かった。更に、ボリュームユニットの端子部の半田付けが必要であり、部品点数の多さと共に、これもコントローラの組立工数を増大させる原因になっていた。
【０００８】
これに加え、ボリュームユニット自体、他の信号出力手段に比べると安価とは言え、数点（通常５点程度）の部品を必要とするので、入力装置中に占めるコストの割合は依然として高かった。
【０００９】
本発明はかかる事情に鑑みて創案されたものであり、１軸型の入力装置と２軸型の入力装置とを併用する構成であるにもかかわらず、部品点数が少なく、しかも小型化が容易で、設計の自由度も非常に高いコントローラを提供することを目的する。
【００１０】
【課題を解決するための手段】
上記目的を達成するために、本発明に係る第１のコントローラは、１軸型の入力装置と２軸型の入力装置とを備え、電子機器に種々の指示を送出するコントローラにおいて、両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、両方の入力装置が同一の基板上に実装されることを特徴としている。
【００１１】
このようなコントローラによる場合、両方の入力装置においてボリュームを構成する抵抗回路を基板表面に形成し、他のボリューム構成部品をスライド形式として入力装置内に一体化したので、両方の入力装置の部品点数が低減する。しかも、両方の入力装置は、基板との間の半田付けを必要とせず、スルーホールも必要としない。その結果、両面実装も容易となる。更に、両方の入力装置を同一の基板上に実装するようにしたしたので、装置の小型化及び部品点数を低減することができる。
【００１２】
本発明に係る第２のコントローラは、１軸型の入力装置と２軸型の入力装置とを備え、電子機器に種々の指示を送出するコントローラにおいて、両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、前記１軸型の入力装置が前記基板の一面に実装され、 前記２軸型の入力装置が当該基板の他面に実装される。
【００１３】
このようなコントローラによる場合、両方の入力装置においてボリュームを構成する抵抗回路を基板表面に形成し、他のボリューム構成部品をスライド形式として入力装置内に一体化したので、両方の入力装置の部品点数が低減する。しかも、両方の入力装置は、基板との間の半田付けを必要とせず、スルーホールも必要としない。その結果、両面実装も容易となる。更に、両方の入力装置を同一の基板に両面実装するようにしたしたので、装置の小型化及び部品点数を低減することができ、且つデバイス配置が自由度向上する。
【００１４】
本発明に係る第３のコントローラは、１軸型の入力装置と２軸型の入力装置とを備え、電子機器に種々の指示を送出するコントローラにおいて、両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、１軸型の入力装置は、回動式のキートップを支持し、且つ、該キートップを基板に固定するために該基板に取付けられるホルダーの内部に、前記スライダーが設けられたトリガ型入力装置であることを特徴としている。
【００１５】
このようなコントローラによる場合、両方の入力装置においてボリュームを構成する抵抗回路を基板表面に形成し、他のボリューム構成部品をスライド形式として入力装置内に一体化したので、両方の入力装置の部品点数が低減する。しかも、両方の入力装置は、基板との間の半田付けを必要とせず、スルーホールも必要としない。その結果、両面実装も容易となる。しかも、１軸型の入力装置をトリガー型としたことにより、当該入力装置の特に横幅を低減することができ、その小型化が図られると共に、キートップの回転運動をスライダーの直進運動に変換する機構が簡単になる。
【００１６】
本発明に係る第４のコントローラは、１軸型の入力装置と２軸型の入力装置とを備え、電子機器に種々の指示を送出するコントローラにおいて、
両方の入力装置は、各入力装置の操作軸の回転に伴って基板上を直進運動する直進式のスライダーと、前記基板上に形成された抵抗回路と各スライダーの基板対向面に取付けられ且つ当該抵抗回路上を摺動接触する接触子とからなるスライド型の可変抵抗器とを有した構成となっており、２軸型の入力装置は、基板上に固定されるケースと、ケース内に前記２軸に対応したＸ、Ｙ方向に回動自在に支持され、Ｙ、Ｘ方向に延びる長孔を有する上下一組の回動部材と、上下一組の回動部材の各長孔を貫通し、周囲の任意方向に操作されることにより各回動部材を回動させる操作部材と、操作部材を中立位置に弾性的に保持する保持機構と、各回動部材の回動角度に対応する信号を出力する前記可変抵抗器が含まれた１組の信号出力手段とを備え、前記一組の信号出力手段として、上下一組の回動部材の各一端部にギヤ部を設けると共に、各ギヤ部の下方に位置してケースの２側面に各側面及び基板に沿って移動し得る前記スライダーが設けられ、当該スライダーの上面に前記ギヤ部に噛み合う歯部が設けられ、当該スライダーの下面に前記接触子が設けられた構成である。
【００１７】
このようなコントローラによる場合、両方の入力装置においてボリュームを構成する抵抗回路を基板表面に形成し、他のボリューム構成部品をスライド形式として入力装置内に一体化したので、両方の入力装置の部品点数が低減する。しかも、両方の入力装置は、基板との間の半田付けを必要とせず、スルーホールも必要としない。その結果、両面実装も容易となる。
【００１９】
【発明の実施の形態】
以下に本発明の実施形態を図面に基づいて説明する。図１は本発明の実施形態に係るコントローラの平面図、図２は同コントローラの正面図、図３は同コントローラの一部破断側面図である。
【００２０】
また、図４は同コントローラに１軸型の入力装置として使用されているトリガ型入力装置の側面図、図５は同トリガ型入力装置の正面図、図６は同トリガ型入力装置の背面図、図７及び図８は同トリガ型入力装置の縦断側面図で、図７は操作されない状態、図８は操作された状態をそれぞれ示す。
【００２１】
また、図９は同コントローラに２軸型の入力装置として使用されているジョイスティック型多方向入力装置の平面図、図１０は同多方向入力装置の正面図、図１１は同多方向入力装置の側面図、図１２は同多方向入力装置の底面図、図１３は同多方向入力装置の縦断側面図で、図９のＡ−Ａ断面図である。
【００２２】
本発明の実施形態に係るコントローラは、家庭用テレビゲーム機に使用されるコントローラである。このコントローラは、図１〜図３に示すように、操作部１０の両側部に一対の持ち手部２０，２０を設けた構造になっている。操作部１０の表面の一方の側部には、２軸型の入力装置としてのジョイスティック型多方向入力装置３０が設けられ、他方の側部には複数のプッシュスイッチ４０，４０・・が設けられている。また、操作部１０の裏面両側部には、１対の１軸型の入力装置としてトリガ型入力装置５０，５０がそれぞれ設けられている。
【００２３】
使用者は両手で持ち手部２０，２０を握り、左手の親指でジョイスティック型多方向入力装置３０を操作し、左手の人指し指で左側のトリガ型入力装置５０を操作する。また、右手の親指で複数のプッシュスイッチ４０，４０・・を操作し、右手の人指し指で右側のトリガ型入力装置５０を操作する。
【００２４】
ジョイスティック型多方向入力装置３０は、操作部１０内に設けられたメイン基板６０の表側の表面に実装されており、トリガ型入力装置５０は、メイン基板６０の裏側の表面に実装されている。即ち、ジョイスティック型多方向入力装置３０とトリガ型入力装置５０は、操作部１０内のメイン基板６０に両面実装されている。
【００２５】
１軸型の入力装置としてのトリガ入力装置５０は、図４〜図７に示すように、引き金形状をした回動式のキートップ５１と、キートップ５１を基板６０の表面に固定するためにその基板６０の表面に取付けられるホルダー５２と、ホルダー５２内にキートップ５１の操作方向後方に位置して設けられた直進式のスライダー５３と、スライダ５３の底面に取付けられた接触子５４とを備えている。
【００２６】
キートップ５１は、操作部１０の前方から後方へ操作され、この操作に伴って基部を中心に回動する。キートップ５１の基部には、回動中心となる一対の軸部５１ａ，５１ａが両側へ突出して設けられている。キートップ５１の前部は、弧状に窪んだ指掛け部５１ｂになっている。キートップ５１の底部には、当該キートップ５１を初期位置に固定するための平坦面５１ｃと、スライダー５３を操作するための圧下部５１ｄとが設けられている。圧下部５１ｄは、軸部５１ａ，５１ａの後方に位置し、キートップ５１の操作に伴って基板６０に接近する。
【００２７】
ホルダー５２は、裏面側へ突出する前後一対の爪部５２ａ，５２ａにより基板６０の表面に固定される。ホルダー５２の前部は、キートップ５１を支持する平板状の支持部５２ｂであり、後部は、スライダー５３を収容する筒状の収容部５２ｃである。支持部５２ｂには、キートップ５１の軸部５１ａ，５１ａが嵌合する両側一対の軸受部５２ｄ，５２ｄが設けられている。収容部５２ｃの底面には、スライダ５３の底面に取付けられた接触子５４を底面側へ露出させるために、略全長にわたって開口する開口部５２ｅが設けられている。
【００２８】
スライダー５３は、ホルダー５２の収容部５２ｃ内に前後方向に移動可能に収容され、スライダー５３と共に収容部５２ｃ内に収容されたコイル式のスプリング５５により前方のキートップ５１の側に付勢されている。スライダー５３の前面は、前方に向かって下降傾斜する傾斜面５３ａであり、キートップ５１の下方に後方から潜り込んでキートップ５１の圧下部５１ｄを、基板６０から離れる方向へ弾性的に押圧する。スライダー５３の底面には、接触子５４を保持する保持部５３ｂが、基板６０の表面に平行となるよう設けられている。保持部５３ｂは、収容部５２ｃの底面に設けられた開口部５２ｅを通して底面側に露出する。
【００２９】
接触子５４は、保持部５３ｂの底面に取付けられている。この接触子５４は、銅合金等の導電性材料からなり、並列的に形成された１対の接触部５４ａ，５４ａを、基板６０の表面に印刷により形成された抵抗回路６１に弾性的に接触させる。抵抗回路６１はカーボンからなる抵抗部６１ａと導体部６１ｂとを有しており、接触子５４は接触部５４ａ，５４ａを抵抗部６１ａと導体部６１ｂにそれぞさ接触させることにより可変抵抗回路を構成する。
【００３０】
次に、トリガ型入力装置５０の機能について説明する。
【００３１】
キートップ５１が操作されないときは、図７に示すように、スライダー５３の前面に形成された傾斜面５３ａが、キートップ５１の下方に後方から潜り込んでキートップ５１の圧下部５１ｄを、基板６０から離れる方向へ弾性的に押圧する。これにより、キートップ５１は前方に付勢され、平坦面５１ｃをホルダー５２の底板表面に密着させることにより、初期位置に固定される。
【００３２】
キートップ５１を後方へ操作すると、図８に示すように、キートップ５１は軸部５１ａ，５１ａを中心に後方へ回動し、圧下部５１ｄでスライダー５３の傾斜面５３ａを、基板６０に接近する方向へ押圧する。これにより、スライダー５３はスプリング５５による付勢力に抗して収容部５２ｃ内を後方へ直線移動する。即ち、キートップ５１の操作に伴う回転運動が、スライダー５３の傾斜面５３ａにより、スライダー５３の直進運動に変換される。その結果、接触子５４が抵抗回路６１上を摺動し、キートップ５１の操作量に応じた抵抗値が得られる。
【００３３】
キートップ５１に付加されている操作力を取り除くと、スライダー５３は前方へ移動し、キートップ５１を初期位置へ自動復帰させる。
【００３４】
かくして、トリガ型入力装置５０は、キートップ５１の操作量に応じた電気信号をコントローラに入力する。
【００３５】
２軸型の入力装置としてのジョイスティック型多方向入力装置３０は、図９〜図１３に示すように、基板の表面に固定されるケース３１の直交する２つの側面部に、信号出力手段として１組のボリューム部３２，３２を一体的に設けた構造になっている。
【００３６】
ボリューム部３２，３２を除いたケース３１の本体部内には、下部を中心にして周囲の任意方向に傾動操作される棒状の操作部材３３と、操作部材３３によって回動操作される上下一組の回動部材３４，３５と、操作部材３３を中立位置に弾性的に保持するための昇降スライダー３６及びスプリング３７とが収容されている。また、ボリューム部３２，３２の内部には、直進式のスライダー３８，３８がそれぞれ収容されている。
【００３７】
基板の表面に固定される角箱形状のケース３１は、底板部を形成する下ケース３１ａと、これに上方から被せられる上ケース３１ｂとを組み合わせた２ピース構造になっている。下ケース３１ａは、ほぼ四角形の底板部３１ｃを有しており、底板部３１ｃの中央部には、操作部材３３を支持するために、円柱状のボス部３１ｄが設けられている。
【００３８】
上ケース３１ｂは、下面が開放した箱体であり、その天板部には、操作部材３３の上部を上方に突出させるために開口部３１ｅが設けられている。また、直交する２側面には、直進式のスライダー３８，３８を収容するスライダー収容部３１ｆ，３１ｆが一体的に設けられている。スライダー収容部３１ｆ，３１ｆは、上ケース３１ｂの下部側面から側方に張り出した直方体状の箱であり、その下面は全面的に開口している。各スライダー収容部３１ｆの上面には、上ケース３１ｂの側面に沿ってスリット状の開口部３１ｇが設けられている。
【００３９】
下ケース３１ａに上ケース３１ｂを被せると、図示されない爪部により両者が結合固定される。この状態で、上下一組の回動部材３４，３５は、それぞれの両端軸部が下ケース３１ａと上ケース３１ｂ間に回動自在に支持された状態となる。
【００４０】
操作部材３３は、断面が円形の棒体部３３ａと、棒体部３３ａの下方に連設された回動軸部３３ｂと、回動軸部３３ｂの更に下方に連設された大径の円板部３３ｃと、円板部３３ｃの下面中央部に設けられた下に凸の半球状の凸部３３ｄとを有している。回動軸部３３ｂは、断面が上に凸の半円形をした蒲鉾形で、当該操作部材３３に直角な２方向に突出している。回動軸部３３ｂの軸心は、下に凸の半球状の凸部３３ｄの中心と交差している。凸部３３ｄは、ケース３１のボス部３１ｄの上面に設けられた下に凸の半球状の凹部に、回動自在に嵌合している。
【００４１】
上段の回動部材３４は、両端部に断面円形の回動軸部３４ａ，３４ａを有し、その間に、上に凸のアーチからなる円弧部３４ｂを有している。円弧部３４ｂには、回動中心軸方向に延びる長孔３４ｃが、操作部材３３のガイド孔として設けられている。
【００４２】
回動軸部３４ａ，３４ａの一方の先端面には、ギヤ部３４ｄが一体的に設けられている。ギヤ部３４ｄは、ケース３１の側方に突出し、一方のスライダー収容部３１ｆの開口部３１ｇの上方に位置している。ギヤ部３４ｄは、ここでは円弧面を下方に向けた扇状部材であり、その円弧面には、平歯車状の歯部３４ｅが形成されている。
【００４３】
歯部３４ｅは、一方のスライダー収容部３１ｆ内に収容された直進式のスライダー３８の上面に形成されたラックギヤ状の歯部に噛み合っている。スライダー３８は、スライダー収容部３１ｆ内をケース３１の側面に沿って移動可能であり、その上面の歯部にギヤ部３４ｄの歯部３４ｅが噛み合うことにより、スライダー３８は、上段の回動部材３４の回動に伴って直進駆動される。
【００４４】
スライダー３８の下面には、接触子３９が取付けられている。接触子３９は、スライダー収容部３１ｆの下面開口部を通して基板の表面に臨み、その表面に形成された抵抗回路に弾性的に接触して、スライド式のボリュームを構成する。
【００４５】
下段の回動部材３５は、上段の回動部材３４の下方に直角に組み合わされる。この回動部材３５は、両端部に断面円形の回動軸部を有し、その間に、上に凸の半球部３５ｂを有している。半球部３５ｂには、回動中心軸方向に延びる長孔が、操作部材３３のガイド孔として設けられている。半球部３５ｂの下面には、操作部材３３の回動軸部３３ｂが嵌合する一対の凹状の軸受部が、長孔を挟んで設けられている。
【００４６】
回動部材３５の一方の回動軸部の先端面には、上段の回動部材３４と同様に、扇状のギヤ部３５ｄが一体的に設けられており、その円弧面に形成された平歯車状の歯部３５ｅが、他方のスライダー収容部３１ｆ内に収容された直進式のスライダー３８の上面に形成されたラックギヤ状の歯部に噛み合っている。これにより、他方のスライダー３８は、下段の回動部材３５の回動に伴って直進駆動される。
【００４７】
他方のスライダー３８の下面にも接触子３９が取付けられており、これが、基板の表面に形成された抵抗回路に弾性的に接触しすることにより、スライド式のボリュームが構成される。
【００４８】
操作部材３３を中立位置に弾性的に保持する昇降スライダー３６は、ケース３１内に昇降可能に収容された環状体であって、回動部材３４，３５の下方に配置され、昇降スライダー３６の更に下方に配置されたコイル式のスプリング３７により上方に付勢されている。
【００４９】
この付勢により、昇降スライダー３６は、操作部材３３の円板部３３ｃのフラットな下面、及び回動部材３４，３５の両端軸部の下面に形成されたフラット面に面接触し、これにより、操作部材３３を回動部材３４，３５と共に中立位置に保持する。
【００５０】
次に、ジョイスティック型多方向入力装置３０の機能について説明する。
【００５１】
操作部材３３を下段の回動部材３５の長孔の方向に傾動操作すると、上段の回動部材３４が回動し、これによる一方のボリューム部３２の作動により、操作量に応じた抵抗値が得られる。即ち、一方のボリューム部３２では、回動部材３４の回動によるギヤ部３４ｄの回動に伴って直進式のスライダー３８が移動し、接触子３９が対応する抵抗回路上を摺動することにより、操作量に応じた抵抗値が得られる。
【００５２】
操作部材３３を上段の回動部材３４の長孔３４ｃの方向に傾動操作した場合は、下段の回動部材３５が回動し、これによる他方のボリューム部３２の作動により、操作量に応じた抵抗値が得られる。即ち、他方のボリューム部３２では、回動部材３５の回動によるギヤ部３５ｄの回動に伴って直進式のスライダー３８が移動し、接触子３９が対応する抵抗回路上を摺動することにより、操作量に応じた抵抗値が得られる。
【００５３】
これらの組み合わせにより、ジョイスティック型多方向入力装置３０は、トリガ型入力装置５０と同様に、操作部材３３の操作方向及び操作量に応じた電気信号をコントローラに入力する。
【００５４】
しかも、当該コンローラでは、ジョイスティック型多方向入力装置３０は、メイン基板６０の表側の表面に実装され、トリガ型入力装置５０は、メイン基板６０の裏側の表面に実装されている。この両面実装により、当該コントローラでは、第１に、メイン基板６０の両面側でのデバイス配置の自由度が著しく向上する。第２に、コントローラの小型化が可能になる。第３に、サブ基板及びその接続部品が不要となり、部品点数の大幅低減が可能になる。
【００５５】
これに加え、ジョイスティック型多方向入力装置３０では、電気信号出力手段としてのボリュームが直進形式としてケース３１に一体化されており、そのボリュームを構成するための部品点数は、スライダー３８と接触子３９の僅か２点となる。これは別体のボリュームの部品点数（通常５点）と比べて大幅に少ない。このため、ジョイスティック型多方向入力装置３０それ自体も安価となる。また、抵抗回路をメイン基板６０の表面に形成し、これに接触子３９を接触させるので、メイン基板６０との間を半田付けする必要がない。
【００５６】
同様に、トリガ型入力装置５０でも、電気信号出力手段としてのボリュームが直進形式としてホルダー５２内に一体化されており、スライダー５３を付勢するスプリング５５はキートップ５１の付勢手段を兼ねるので、そのボリュームを構成するための部品点数は、スライダー５３と接触子５４の僅か２点となる。このため、トリガ型入力装置５０それ自体も安価となる。また、抵抗回路６１をメイン基板６０の表面に形成し、これに接触子５４を接触させるので、メイン基板６０との間を半田付けする必要がない。
【００５７】
従って、コントローラの製作コストが、ジョイスティック型多方向入力装置３０及びトリガ型入力装置５０の部品コスト、更にはこれらの組み付けコストの点からも低減される。
【００５８】
なお、ジョイスティック型多方向入力装置３０及びトリガ型入力装置５０の両面実装が可能なったのは、それぞれのボリュームを直進形式として一体化し、メイン基板６０の両方の表面に形成された抵抗回路とでボリューム回路を構成したことによる。
【００５９】
【発明の効果】
以上に説明したとおり、本発明に係るコントローラは、１軸型の入力装置及び２軸型の入力装置の両方で、ボリュームを構成する抵抗回路を基板側に設け、他のボリューム構成部品を直進形式として入力装置内に一体化したことにより、両方の入力装置を同一基板上に簡単に実装することができ、両面実装も簡単であり、これらの実装形態の改善により、小型化及び部品点数の低減を可能にし、更にはデバイス配置の自由度を向上させることができる。
【００６０】
しかも、本発明に係るコントローラでは、実装形態が改善されるだけでなく、両方の入力装置の部品点数が低減され、その部品コストが低減されると共に、基板との間の半田付けが不要となり、その組立コストも低減されるので、これらの面からも製作コストの低減が図られる。
【００６１】
従って、本発明に係るコントローラは、形状・内部構造の両方で設計の自由度が非常に高く、なおかつ経済性に優れた、商品価値の非常に高いものになる。
【図面の簡単な説明】
【図１】本発明の実施形態に係るコントローラの平面図である。
【図２】同コントローラの正面図である。
【図３】同コントローラの一部破断側面図である。
【図４】同コントローラに１軸型の入力装置として使用されているトリガ型入力装置の側面図である。
【図５】同トリガ型入力装置の正面図である。
【図６】同トリガ型入力装置の背面図である。
【図７】同トリガ型入力装置の縦断側面図で、操作されない状態を示す。
【図８】同トリガ型入力装置の縦断側面図で、操作された状態を示す。
【図９】同コントローラに２軸型の入力装置として使用されているジョイスティック型多方向入力装置の平面図である。
【図１０】同多方向入力装置の正面図である。
【図１１】同多方向入力装置の側面図である。
【図１２】同多方向入力装置の底面図である。
【図１３】同多方向入力装置の縦断側面図で、図９のＡ−Ａ断面図である。
【符号の説明】
１０  コントローラの操作部
２０  コントローラの持ち手部
３０  ジョイスティック型多方向入力装置（２軸型の入力装置）
３１  ケース
３２  ボリューム部
３３  操作部材
３４  上段の回動部材
３５  下段の回動部材
３６  昇降スライダー
３７  スプリング
３８  直進式のスライダー
３９  接触子
４０  プッシュスイッチ
５０  トリガ型入力装置（１軸型の入力装置）
５１  キートップ
５２  ホルダー
５３  直進式のスライダー
５４  接触子
５５  スプリング
６０  メイン基板
６１  抵抗回路
【図１】
0003847495.tif 000002
【図２】
0003847495.tif 000003
【図３】
0003847495.tif 000004
【図４】
0003847495.tif 000005
【図５】
0003847495.tif 000006
【図６】
0003847495.tif 000007
【図７】
0003847495.tif 000008
【図８】
0003847495.tif 000009
【図９】
0003847495.tif 000010
【図１０】
0003847495.tif 000011
【図１１】
0003847495.tif 000012
【図１２】
0003847495.tif 000013
【図１３】
0003847495.tif 000014